(57)【特許請求の範囲】
【請求項１】
空気栓から空気が充填されることで膨らむ浮き具であって、
空気が充填される内部空間を気密な仕切部で仕切ることで形成された、物入れ用の収納スペースと、
この収納スペースに設けられた防水ファスナーと、
前記収納スペースに設けられた、前記空気栓とは別の、収納スペース用空気栓と、
を備え、
前記収納スペースを形成する外殻には、収納スペース内に入力端子が配置された防水スピーカーが気密に固着されているとともに、
平面視で、前記防水ファスナーを挟んで、防水ファスナーの一端側かつ浮き輪内側に前記収納スペース用空気栓が設けられ、防水ファスナーの他端側かつ浮き輪外側に前記防水スピーカーが設けられていることを特徴とする浮き具。
【請求項２】
請求項１において、
前記収納スペースを形成する外殻の少なくとも一部は透明であることを特徴とする浮き具。
【発明の詳細な説明】
【技術分野】
【０００１】
本発明は、浮き具に関するものである。より詳しくは、物入れ用の収納スペースを有する浮き輪やエアーマット等の浮き具に関するものである。
【背景技術】
【０００２】
従来、例えば特許文献１に見られるように、腕に巻きつけるホルダー（Ｂ）を設けた防水貴重品入れが知られている。
このような防水貴重品入れによれば、貴重品を携帯した状態で海やプールで遊ぶことができる。
【先行技術文献】
【特許文献】
【０００３】
【特許文献１】特開２００５−２１８７４２号公報
【発明の概要】
【発明が解決しようとする課題】
【０００４】
上述した従来の防水貴重品入れを利用して海等で遊ぶ際、別途浮き具も利用したい場合には、防水貴重品入れと浮き具とを携行しなければならない。
本発明が解決しようとする課題は、別途防水貴重品入れを携行する必要のない浮き具を提供することである。
【課題を解決するための手段】
【０００５】
上記課題を解決するために本発明の浮き具は、
空気栓から空気が充填されることで膨らむ浮き具であって、
空気が充填される内部空間を気密な仕切部で仕切ることで形成された、物入れ用の収納スペースと、
この収納スペースに設けられた防水ファスナーと、
前記収納スペースに設けられた、前記空気栓とは別の、収納スペース用空気栓と、
を備え、
前記収納スペースを形成する外殻には、収納スペース内に入力端子が配置された防水スピーカーが気密に固着されているとともに、
平面視で、前記防水ファスナーを挟んで、防水ファスナーの一端側かつ浮き輪内側に前記収納スペース用空気栓が設けられ、防水ファスナーの他端側かつ浮き輪外側に前記防水スピーカーが設けられていることを特徴とする。
この浮き具によれば、防水ファスナーを開き、収納スペースに貴重品等の物品を入れた後、防水ファスナーを閉じ、収納スペース用空気栓から収納スペースに空気を充填して携行することができる。
したがって、別途防水貴重品入れを携行する必要がなくなる。
しかも、収納スペース自体、収納スペース用空気栓から空気が充填されることで浮き具の一部を構成するので、浮き具全体としての浮力は確保される。
また、前記収納スペースを形成する外殻には、収納スペース内に入力端子が配置された防水スピーカーが気密に固着されているので、収納スペースに収納した音源装置（携帯音楽プレーヤー、携帯電話等）に防水スピーカーの入力端子を接続して音楽等を聴くことができる。
【０００６】
この浮き具においては、
前記収納スペースを形成する外殻の少なくとも一部は透明にすることができる。
このように構成すると、収納スペースに収納した物品を目視することができる。
【図面の簡単な説明】
【０００８】
【図１】本発明に係る浮き具の一実施の形態を示す平面図。
【図２】同じく斜視図。
【図３】物品を収納した状態の部分拡大斜視図。
【図４】他の実施の形態を示す斜視図。
【発明を実施するための形態】
【０００９】
以下、本発明に係る浮き具の実施の形態について図面を参照して説明する。なお、各図において、同一部分ないし相当する部分には、同一の符号を付してある。
【００１０】
図１〜図３に示す浮き具１は、空気栓２ａから空気が充填されることで膨らむ浮き輪である。
この浮き輪１は、
空気が充填される内部空間Ｓ１を気密な仕切部３で仕切ることで形成された、物入れ用の収納スペースＳ２と、
この収納スペースＳ２に設けられた防水ファスナー４と、
収納スペースＳ２に設けられた、前記空気栓２ａとは別の、収納スペース用空気栓２ｂと、
を備えている。
【００１１】
この浮き具１によれば、防水ファスナー４を開き、収納スペースＳ２に貴重品等の物品（図３の符号７，８参照）を入れた後、防水ファスナー４を閉じ、収納スペース用空気栓２ｂから収納スペースＳ２に空気を充填して携行することができる。
したがって、別途防水貴重品入れを携行する必要がなくなる。
しかも、収納スペースＳ２自体、収納スペース用空気栓２ｂから空気が充填されることで浮き具の一部を構成するので、浮き具全体としての浮力は確保される。
【００１２】
浮き具（図１のものは浮き輪）１の外殻（チューブ状外殻）１ｄ、空気栓２ａ、２ｂ、仕切部３はいずれも公知の材料（例えば塩化ビニール）で一体に構成することができる。
防水ファスナー４も、公知のもので構成することができる。
【００１３】
仕切部３は、略円形のシート状体であり、その周辺がチューブ状外殻１ｄの内面と一体的に気密に結合されている。
仕切部３は一対設けられており、平面視（図１）で、浮き輪１の中心１ｃから略放射状に設けられている。これにより、扇状の収納スペースＳ２を良好に形成することができる。
【００１４】
図３に示すように、収納スペースＳ２を形成する外殻１ｄ’は、透明になっている。
このように構成すると、収納スペースＳ２に収納した物品７，８を目視することができる。
なお、この実施の形態では、収納スペースＳ２を形成する外殻１ｄ’の全部を透明にしたが、少なくとも収納物７，８を目視できる程度に一部が透明になっていればよい。
【００１５】
図３に示すように、収納スペースＳ２を形成する外殻１ｄ’には、収納スペースＳ２内に入力端子６ｔが配置された防水スピーカー５が気密に固着されている。
このように構成すると、収納スペースＳ２に収納した音源装置（携帯音楽プレーヤー、携帯電話等であり、図示のものは携帯電話７）に防水スピーカー５の入力端子６ｔを接続して音楽等を聴くことができる。
防水スピーカー５に携帯電話７を接続した場合には、携帯電話７を収納スペースＳ２に収納しているにもかかわらず、携帯電話７の着信音を確実に聞くことができる。
なお、６はスピーカーケーブル、８は収納物品としての鍵である。
【００１６】
以上、本発明の実施の形態について説明したが、本発明は上記の実施の形態に限定されるものではなく、本発明の要旨の範囲内において適宜変形実施可能である。
例えば、浮き具１は浮き輪に限らず、例えば図４に示すようなエアマットであっても良い。また、図示はしないが、救命胴衣やゴムボート等空気が充填されることで膨らむ浮き具であれば、本発明を適用できる。
【符号の説明】
【００１７】
１：浮き輪（浮き具）
２ａ、２ｂ：空気栓
３：仕切部
４：防水ファスナー
５：防水スピーカー
７：携帯電話等
【要約】      （修正有）【課題】別途防水貴重品入れを携行する必要のない浮き具を提供する。【解決手段】空気栓２ａから空気が充填されることで膨らむ浮き具１であって、空気が充填される内部空間Ｓ１を気密な仕切部３で仕切ることで形成された、物入れ用の収納スペースＳ２と、収納スペースＳ２に設けられた防水ファスナー４と、収納スペースＳ２に設けられた、前記空気栓とは別の、収納スペース用空気栓２ｂとを備えている。収納スペースＳ２を形成する外殻１ｄ’の少なくとも一部は透明である。収納スペースＳ２を形成する外殻１ｄ’には、収納スペースＳ２内に入力端子が配置された防水スピーカー５が気密に固着されている。【選択図】図２【図１】
0005706570.tif 000002
【図２】
0005706570.tif 000003
【図３】
0005706570.tif 000004
【図４】
0005706570.tif 000005